(57)【特許請求の範囲】
【請求項１】
機体前部に複数条の植立穀稈を刈り取る刈取部が備えられ、
前記刈取部は、刈取条数に対応した複数の引起し装置と、植立穀稈の株元を切断する切断装置と、刈取穀稈を機体後方に向けて搬送する搬送装置とを備えるとともに、刈幅方向の途中位置にて一方側刈取部分割体と他方側刈取部分割体とに分割形成され、
前記一方側刈取部分割体が、前記他方側刈取部分割体と刈幅方向に一連に並ぶ通常使用状態と、前記他方側刈取部分割体から分離して機外に取り外される分離状態とに切り換え自在に設けられ、
機体側からの動力が前記他方側刈取部分割体側の前記引起し装置に伝達されるとともに、前記通常使用状態において、前記一方側刈取部分割体側の前記引起し装置へは、前記他方側刈取部分割体側の前記引起し装置から動力が伝達されるように構成され、
前記刈取部に、前記刈取部の全体を機体に支持すべく、前方下がりの状態で且つ機体前後方向に延びる筒状の支持フレームと、前記支持フレームの前端部に連結されて、刈幅方向に延びる筒状の下部側横向きフレームと、前記複数の引起し装置の夫々の上端部同士にわたって刈幅方向に沿って延び且つ前記複数の引起し装置の上端部の夫々に連結される上部側横向きフレームと、前記刈取部における刈幅方向中間位置において、平面視で前記搬送装置と重複する状態かつ前記搬送装置の搬送経路を迂回する状態で、前記下部側横向きフレームから、前記上部側横向きフレームのうちの前記他方側刈取部分割体側のフレーム部分まで延びる筒状の縦向き迂回フレームとが備えられ、且つ、
前記支持フレームの内部に位置する前後向き伝動軸と、
前記下部側横向きフレームの内部に位置する横向き伝動軸と、
前記縦向き迂回フレームの内部に位置して、前記横向き伝動軸から前記他方側刈取部分割体側の前記引起し装置の上部側伝動入力部に動力伝達する縦向き中継伝動軸と、
前記上部側横向きフレームに沿う状態で備えられるとともに、前記上部側横向きフレームに回動自在に支持され、前記縦向き中継伝動軸から伝達される動力を前記複数の引起し装置に伝達する横向きの引起し駆動軸とが備えられているコンバイン。
【請求項２】
機体前部に複数条の植立穀稈を刈り取る刈取部が備えられ、
前記刈取部は、刈取条数に対応した複数の引起し装置と、植立穀稈の株元を切断する切断装置と、刈取穀稈を機体後方に向けて搬送する搬送装置とを備えるとともに、刈幅方向の途中位置にて一方側刈取部分割体と他方側刈取部分割体とに分割形成され、
前記一方側刈取部分割体が、前記他方側刈取部分割体と刈幅方向に一連に並ぶ通常使用状態と、前記他方側刈取部分割体から分離して機外に取り外される分離状態とに切り換え自在に設けられ、
機体側からの動力が前記他方側刈取部分割体側の前記引起し装置に伝達されるとともに、前記通常使用状態において、前記一方側刈取部分割体側の前記引起し装置へは、前記他方側刈取部分割体側の前記引起し装置から動力が伝達されるように構成され、
前記刈取部に、前記刈取部の全体を機体に支持すべく、前方下がりの状態で且つ機体前後方向に延びる筒状の支持フレームと、前記支持フレームの前端部に連結されて、刈幅方向に延びる筒状の下部側横向きフレームと、前記複数の引起し装置の夫々の上端部同士にわたって刈幅方向に沿って延び且つ前記複数の引起し装置の上端部の夫々に連結される上部側横向きフレームと、前記刈取部における刈幅方向中間位置において、平面視で前記搬送装置と重複する状態かつ前記搬送装置の搬送経路を迂回する状態で、前記支持フレームの上端部から、前記上部側横向きフレームのうちの前記他方側刈取部分割体側のフレーム部分まで延びる筒状の前後向き迂回フレームとが備えられ、且つ、
前記支持フレームの内部に位置する前後向き伝動軸と、
前記下部側横向きフレームの内部に位置する横向き伝動軸と、
前記前後向き迂回フレームの内部に位置して、前記前後向き伝動軸から前記他方側刈取部分割体側の前記引起し装置の上部側伝動入力部に動力伝達する前後向き中継伝動軸と、
前記上部側横向きフレームに沿う状態で備えられるとともに、前記上部側横向きフレームに回動自在に支持され、前記前後向き中継伝動軸から伝達される動力を前記複数の引起し装置に伝達する横向きの引起し駆動軸とが備えられているコンバイン。
【請求項３】
前記刈取部に、
前記複数の引起し装置の夫々に対応して、機体前後方向に沿って延び且つ前記各引起し装置の下端部に連結される前後向きフレームと、複数の引起し装置の夫々の上端部同士にわたって刈幅方向に沿って延び且つ前記各引起し装置の上端部に連結される上部側横向きフレームとが備えられ、
前記他方側刈取部分割体における前記一方側刈取部分割体が連結される箇所の近傍に、前記前後向きフレームと前記上部側横向きフレームとに亘って上下方向に延びる補強フレームが備えられている請求項１又は２に記載のコンバイン。
【請求項４】
前記補強フレームに、前記一方側刈取部分割体を連結するための連結部材が備えられている請求項３記載のコンバイン。
【請求項５】
前記連結部材は、前記引起し装置の前面よりも機体前方側に位置している請求項４記載のコンバイン。
【発明の詳細な説明】
【技術分野】
【０００１】
本発明は、コンバインに関し、詳しくは、８条刈り等の刈取条数の多いコンバインに関する。
【背景技術】
【０００２】
８条刈り等の刈取条数の多いコンバインは、刈取部による刈幅（横幅）が大きくなり、道路を走行するときの規制幅を越えてしまうので、例えば、運搬車両に積載して運搬するような場合に、そのままでは路上走行することができない等の問題がある。
【０００３】
従来では、例えば、８条刈りコンバインにおいて、刈取部の複数の分草具を支持するために機体前後方向に延びる複数の前後向きフレームのうち刈幅方向両端部に位置する両側の前後向きフレームを取り外すとともに、刈幅方向の全幅にわたる長尺の刈刃を取り外した分離状態に切り換えることにより、横幅を所定幅内に収めることができるように構成したものがあった（例えば、特許文献１参照）。
【先行技術文献】
【特許文献】
【０００４】
【特許文献１】特開２００９−２７８９０２号公報
【発明の概要】
【発明が解決しようとする課題】
【０００５】
上記従来構成は、刈取条数が多い通常使用状態においては、８条分の植立穀稈を一度に刈り取ることができ、収穫作業効率を高めることができる。しかし、例えば、路上走行等を行う場合に、刈取部の一部を分離して横幅を狭くした分離状態では、刈幅方向両側端部の前後向きフレームだけでなく刈刃も取り外すので、この分離状態に切り換えられた後は、刈取作業は行えないものとなっていた。
【０００６】
そこで、幅広の通常使用状態だけでなく幅狭の分離状態であっても刈取作業を行えるようにすることが望まれていた。
【課題を解決するための手段】
【０００７】
本発明に係るコンバインの特徴構成は、
機体前部に複数条の植立穀稈を刈り取る刈取部が備えられ、
前記刈取部は、刈取条数に対応した複数の引起し装置と、植立穀稈の株元を切断する切断装置と、刈取穀稈を機体後方に向けて搬送する搬送装置とを備えるとともに、刈幅方向の途中位置にて一方側刈取部分割体と他方側刈取部分割体とに分割形成され、
前記一方側刈取部分割体が、前記他方側刈取部分割体と刈幅方向に一連に並ぶ通常使用状態と、前記他方側刈取部分割体から分離して機外に取り外される分離状態とに切り換え自在に設けられ、
機体側からの動力が前記他方側刈取部分割体側の前記引起し装置に伝達されるとともに、前記通常使用状態において、前記一方側刈取部分割体側の前記引起し装置へは、前記他方側刈取部分割体側の前記引起し装置から動力が伝達されるように構成され、
前記刈取部に、前記刈取部の全体を機体に支持すべく、前方下がりの状態で且つ機体前後方向に延びる筒状の支持フレームと、前記支持フレームの前端部に連結されて、刈幅方向に延びる筒状の下部側横向きフレームと、前記複数の引起し装置の夫々の上端部同士にわたって刈幅方向に沿って延び且つ前記複数の引起し装置の上端部の夫々に連結される上部側横向きフレームと、前記刈取部における刈幅方向中間位置において、平面視で前記搬送装置と重複する状態かつ前記搬送装置の搬送経路を迂回する状態で、前記下部側横向きフレームから、前記上部側横向きフレームのうちの前記他方側刈取部分割体側のフレーム部分まで延びる筒状の縦向き迂回フレームとが備えられ、且つ、
前記支持フレームの内部に位置する前後向き伝動軸と、
前記下部側横向きフレームの内部に位置する横向き伝動軸と、
前記縦向き迂回フレームの内部に位置して、前記横向き伝動軸から前記他方側刈取部分割体側の前記引起し装置の上部側伝動入力部に動力伝達する縦向き中継伝動軸と、
前記上部側横向きフレームに沿う状態で備えられるとともに、前記上部側横向きフレームに回動自在に支持され、前記縦向き中継伝動軸から伝達される動力を前記複数の引起し装置に伝達する横向きの引起し駆動軸とが備えられている点にある。
【０００８】
本発明によれば、刈取部は、刈幅方向の途中位置にて一方側刈取部分割体と他方側刈取部分割体とに分割可能であり、一方側刈取部分割体及び他方側刈取部分割体は夫々、引起し装置、切断装置、搬送装置を備えている。
【０００９】
機体側からの動力を刈取部に伝達する伝動構造において、切断装置及び搬送装置については、刈取部の機体に対する連結箇所である機体後部下方側箇所から刈取穀稈の搬送経路の下方側を通して動力伝達させることが可能である。これに対して、引起し装置は、縦方向に長く形成され、しかも、上部側から動力伝達する必要がある。刈取部が分割されることなく、全ての引起し装置が刈取部に一体的に設けられる構成であれば、引起し装置の上部に沿って横方向に延びる伝動軸を介して全ての引起し装置に動力伝達可能である。
【００１０】
しかし、刈取部を分割する構成にする場合には、刈幅方向両側端部から引起し装置の上部に位置する伝動軸に向けて動力を伝達しなければならないが、刈取部の機体横一側箇所には運転部が備えられるので、刈幅方向両側端部から夫々動力伝達するための伝動構造を備えることができない。
【００１１】
そこで、一方側刈取部分割体が他方側刈取部分割体と刈幅方向に一連に並ぶ通常使用状態では、一方側刈取部分割体側の引起し装置へは、他方側刈取部分割体側の引起し装置から動力が伝達される構成となっている。
【００１２】
一方側刈取部分割体側の引起し装置へは、他方側刈取部分割体側の引起し装置から動力が伝達される構成とすることで、通常使用状態においては、機体側の動力は、先ず、他方側刈取部分割体側の引起し装置に伝達され、その他方側刈取部分割体側の引起し装置から、一方側刈取部分割体側の引起し装置へ伝達される。その結果、一方側刈取部分割体及び他方側刈取部分割体の夫々において、引起し装置を良好に駆動することができる。
【００１３】
分離状態においては、一方側刈取部分割体が他方側刈取部分割体から分離して機外に取り外されるが、機体側の動力が他方側刈取部分割体側の引起し装置に伝達される伝動機構はそのまま残るので、この分離状態においても、引起し装置を良好に駆動することができる。
【００１４】
従って、８条等の刈幅（横幅）が大きく設定された通常使用状態だけでなく、例えば、路上走行を実行可能な横幅になる分離状態であっても、刈取作業を行うことが可能となった。
【００１５】
【００１６】
また、本構成によれば、機体側からの動力が、支持フレームの内部に位置する前後向き伝動軸、及び、下部側横向きフレームの内部に位置する横向き伝動軸を介して縦向き中継伝動軸に伝達される。縦向き中継伝動軸は、縦向き迂回フレームの内部に位置する状態で備えられる。縦向き迂回フレームは、下部側横向きフレームから搬送装置の搬送経路を迂回して上部側横向きフレームのうちの他方側刈取部分割体側のフレーム部分まで延びる状態で備えられる。
【００１７】
縦向き中継伝動軸からの動力は、横向きの引起し駆動軸における他方側刈取部分割体に対応する箇所に伝達される。横向きの引起し駆動軸は、一方側刈取部分割体に対応する軸部分と、他方側刈取部分割体に対応する軸部分とからなり、動力は、他方側刈取部分割体に対応する軸部分から一方側刈取部分割体に対応する軸部分に伝達される。
【００１８】
刈取部が一方側刈取部分割体と他方側刈取部分割体とに分離されると、横向きの引起し駆動軸は、一方側刈取部分割体に対応する軸部分と、他方側刈取部分割体に対応する軸部分とに分離することになる。これらが分離しても、他方側刈取部分割体に対応する軸部分に対する動力伝達状態はそのまま維持される。
【００１９】
従って、通常使用状態及び分離状態のいずれにおいても、複数の引起し装置に対して動力を伝達することができる。
【００２０】
本発明においては、
前記刈取部に、前記刈取部の全体を機体に支持すべく、前方下がりの状態で且つ機体前後方向に延びる筒状の支持フレームと、前記支持フレームの前端部に連結されて、刈幅方向に延びる筒状の下部側横向きフレームと、前記複数の引起し装置の夫々の上端部同士にわたって刈幅方向に沿って延び且つ前記複数の引起し装置の上端部の夫々に連結される上部側横向きフレームと、前記刈取部における刈幅方向中間位置において、平面視で前記搬送装置と重複する状態かつ前記搬送装置の搬送経路を迂回する状態で、前記支持フレームの上端部から、前記上部側横向きフレームのうちの前記他方側刈取部分割体側のフレーム部分まで延びる筒状の前後向き迂回フレームとが備えられ、且つ、
前記支持フレームの内部に位置する前後向き伝動軸と、
前記下部側横向きフレームの内部に位置する横向き伝動軸と、
前記前後向き迂回フレームの内部に位置して、前記前後向き伝動軸から前記他方側刈取部分割体側の前記引起し装置の上部側伝動入力部に動力伝達する前後向き中継伝動軸と、
前記上部側横向きフレームに沿う状態で備えられるとともに、前記上部側横向きフレームに回動自在に支持され、前記前後向き中継伝動軸から伝達される動力を前記複数の引起し装置に伝達する横向きの引起し駆動軸とが備えられていると好適である。
【００２１】
本構成によれば、機体側からの動力が、支持フレームの内部に位置する前後向き伝動軸から前後向き中継伝動軸に伝達される。前後向き中継伝動軸は、前後向き迂回フレームの内部に位置する状態で備えられる。前後向き迂回フレームは、支持フレームの上端部から、搬送装置の搬送経路を迂回する状態で、上部側横向きフレームのうちの他方側刈取部分割体側のフレーム部分まで延びる状態で備えられる。
【００２２】
前後向き中継伝動軸からの動力は、横向きの引起し駆動軸における他方側刈取部分割体に対応する箇所に伝達される。横向きの引起し駆動軸は、一方側刈取部分割体に対応する軸部分と、他方側刈取部分割体に対応する軸部分とからなり、動力は、他方側刈取部分割体に対応する軸部分から一方側刈取部分割体に対応する軸部分に伝達される。
【００２３】
刈取部が一方側刈取部分割体と他方側刈取部分割体とに分離されると、横向きの引起し駆動軸は、一方側刈取部分割体に対応する軸部分と、他方側刈取部分割体に対応する軸部分とに分離することになる。これらが分離しても、他方側刈取部分割体に対応する軸部分に対する動力伝達状態はそのまま維持される。
【００２４】
従って、通常使用状態及び分離状態のいずれにおいても、複数の引起し装置に対して適切に動力を伝達することができる。
【００２５】
本発明においては、
前記刈取部に、
前記複数の引起し装置の夫々に対応して、機体前後方向に沿って延び且つ前記各引起し装置の下端部に連結される前後向きフレームと、複数の引起し装置の夫々の上端部同士にわたって刈幅方向に沿って延び且つ前記各引起し装置の上端部に連結される上部側横向きフレームとが備えられ、
前記他方側刈取部分割体における前記一方側刈取部分割体が連結される箇所の近傍に、前記前後向きフレームと前記上部側横向きフレームとに亘って上下方向に延びる補強フレームが備えられていると好適である。
【００２６】
本構成によれば、複数の引起し装置は夫々、上部側が上部側横向きフレームに連結され、下端部が前後向きフレームに連結される。そして、他方側刈取部分割体における一方側刈取部分割体が連結される箇所の近傍には、上下方向に延びる補強フレームが備えられ、その補強フレームは前後向きフレームと上部側横向きフレームとに亘って設けられる。
【００２７】
その結果、他方側刈取部分割体における一方側刈取部分割体との連結箇所は、前後向きフレームと、上部側横向きフレームと、補強フレームとによって、側面視で略三角形状の強固なフレーム構造体が形成されることになる。つまり、このような強固な支持構造を有する他方側刈取部分割体によって、一方側刈取部分割体が安定した状態で支持される。
【００２８】
本発明においては、前記補強フレームに、前記一方側刈取部分割体を連結するための連結部材が備えられていると好適である。
【００２９】
本構成によれば、強固なフレーム構造体を形成する補強フレームに連結部材が備えられ、その連結部材によって一方側刈取部分割体が他方側刈取部分割体に連結される。従って、一方側刈取部分割体と他方側刈取部分割体とを強固な支持構造によって連結支持することができる。
【００３０】
本発明においては、前記連結部材は、前記引起し装置の前面よりも機体前方側に位置していると好適である。
【００３１】
本構成によれば、連結部材が引起し装置の前面よりも機体前方側に位置しているので、一方側刈取部分割体と他方側刈取部分割体との分離作業や連結作業を行う場合、機体前方側から容易に行うことができる。
【図面の簡単な説明】
【００３２】
【図１】コンバインの全体側面図である。
【図２】コンバインの全体平面図である。
【図３】刈取部の正面図である。
【図４】通常使用状態の刈取部の側面図である。
【図５】分離状態の刈取部の側面図である。
【図６】通常使用状態の搬送装置の簡略化した平面図である。
【図７】分離状態の搬送装置の簡略化した平面図である。
【図８】通常使用状態の刈取部の伝動構造を示す図である。
【図９】分離状態の刈取部の伝動構造を示す図である。
【図１０】引起し装置の一部縦断後面図である。
【図１１】切断装置の平面図である。
【図１２】掻き込み部と切断装置の縦断正面図である。
【図１３】切断装置の一部平面図である。
【図１４】切断装置の一部縦断正面図である。
【図１５】一方側分割支持枠体の斜視図である。
【図１６】一方側分割支持枠体の側面図である。
【図１７】他方側分割支持枠体の斜視図である。
【図１８】他方側分割支持枠体の側面図である。
【図１９】支持枠体の全体斜視図である。
【図２０】回動支持部の分解斜視図である。
【図２１】縦向き迂回フレームを示す側面図である。
【図２２】第２実施形態の上部迂回フレームを示す側面図である。
【発明を実施するための形態】
【００３３】
以下、本発明に係るコンバインの第１実施形態を図面に基づいて説明する。
【００３４】
〔全体構成〕
図１，２に示すように、本発明に係るコンバインは、走行機体１と、８条の植立穀稈を刈り取る刈取部２とを備えている。刈取部２は、横軸芯Ｐ１まわりで揺動昇降自在に走行機体１に連結され、リフトシリンダ３により駆動昇降可能に設けられている。
【００３５】
この実施形態では、機体前後方向を定義するときは、図１，２において刈取部２が備えられる側が機体前部側であり、その反対側が機体後部側であると定義する。機体左右方向を定義するときは、機体前部を前にして進行する前進走行状態で、進行方向を目視する運転者の右手側が機体右側であり、左手側が機体左側であると定義する。従って、機体横幅方向が機体の左右方向に対応している。
【００３６】
走行機体１は、左右一対のクローラ走行装置４を備えるとともに、機体前部の右側（横幅方向一方側）に運転部５が備えられ、その後方に、刈取部２にて刈り取られた穀稈を脱穀処理する脱穀装置６と、脱穀処理にて得られた穀粒を貯留する穀粒タンク７とを機体横方向に並ぶ状態で備えている。運転部５はキャビン５ａにて覆われる状態で備えられる。
脱穀装置６は、図示はしないが、刈取部２から搬送される刈取穀稈の株元を脱穀フィードチェーン８により挟持して搬送しながら、扱室内部で穂先側を扱き処理し、扱室の下部に備えられた選別部にて穀粒と塵埃に選別処理する。穀粒は穀粒タンク７に貯留し、塵埃は機外に排出する。穀粒タンク７に貯留される穀粒は排出装置７Ａにて外部に排出可能である。脱穀処理後の排ワラは細断装置９にて細断したのちに機外に排出する。
【００３７】
刈取部２は、刈取対象条の植立穀稈を分草案内する複数（９個）の分草具１０を前端部に備えており、その後方に刈取条数に対応した複数（８個）の引起し装置１１と、植立穀稈の株元を切断する切断装置１２と、刈取穀稈を機体後方に向けて搬送する搬送装置１３とを備えている。
【００３８】
９個の分草具１０のうち、最も機体横外側に位置する２個の分草具１０は、植立穀稈を刈取対象と対象外とに分草し、刈取対象穀稈をその分草具１０に隣接する引起し経路に導入し、対象外の穀稈をその引起し経路の横外側に案内する。その他の分草具１０は、２つの植付条に植立する穀稈をその分草具１０の両横側に分草して分草具１０の両横側の引起し経路に導入する。
【００３９】
刈取部２は、左側（未刈側）のクローラ走行装置４よりも大きく左側に突出する状態となっており、未刈穀稈をクローラ走行装置４により踏み倒すおそれがなく、良好に刈取作業を行うことができる（図６参照）。
【００４０】
〔引起し装置〕
図１，３に示すように、引起し装置１１は、下端側が機体前部側に位置し且つ上端側ほど機体後方側に位置する後倒れ傾斜状態の起立姿勢で備えられている。そして、図１０に示すように、引起し装置１１は、フレームを兼用する引起しケース１４の内部に、上側に位置する駆動スプロケット１５と緊張用スプロケット１６、及び、下側に位置する従動スプロケット１７の夫々にわたって巻回される無端回動チェーン１８が備えられ、その無端回動チェーン１８には、長手方向に沿って所定間隔をあけて複数の引起爪１９が備えられている。引起爪１９は、起立姿勢と倒伏姿勢とに姿勢変更自在に無端回動チェーン１８に支持されている。
【００４１】
図１０に示すように、８個の引起し装置１１の上部同士に亘って左右方向に延びる引起し駆動軸２０が備えられている。この引起し駆動軸２０からの動力が中継伝動ケース２１内に備えられた中継伝動軸２２を介して駆動スプロケット１５に動力が伝達される。図示はしないが、引起し駆動軸２０は断面形状が六角形であり、角形嵌合状態で動力を伝達するように構成されている。
【００４２】
引起し装置１１は、引起爪１９が横向きに突出する状態で移動する引起し作用経路Ｈ１と、引起爪１９が引退した状態で移動する非作用戻し経路Ｈ２とを備えている。つまり、無端回動チェーン１８の左右両側の上下移動経路のうちのいずれかが引起し作用経路Ｈ１として設定され、反対側が非作用戻し経路Ｈ２として設定されている。図示はしないが、引起し作用経路Ｈ１においては、無端回動チェーン１８が通過する箇所に引起爪１９を起立案内するガイド板が備えられている。
【００４３】
複数の引起し装置１１は、引起し作用経路Ｈ１同士が近接するとともに、非作用戻し経路Ｈ２同士が近接する状態で、横方向に並ぶように配置されている。そして、各引起し装置１１は、引起し作用経路Ｈ１において引起爪１９が上向きに移動するように回動方向が設定されている。つまり、離接する引起し装置１１同士は、無端回動チェーン１８の回動方向が互いに逆向きに設定されている。
【００４４】
このような構成の引起し装置１１は、引起し作用経路Ｈ１においては、横向きに突出する引起爪１９が穀稈に梳き上げ作用しながら上昇移動し、上昇終端に到達すると、穀稈から外れて引起しケース１４の非作用戻し経路Ｈ２を下降して引起し作用経路Ｈ１側に戻っていく。これにより、各引起し装置１１は、引起し経路に導入された植立穀稈を、上昇移動する引起爪１９によって引起し処理して切断装置１２に供給する。
【００４５】
〔切断装置〕
切断装置１２は、全ての刈取対象条（８条）の植立穀稈に作用するように左右方向（刈幅方向に対応する）の全幅にわたる長尺状に形成され、周知構造のバリカン型刈刃にて構成されている。
【００４６】
切断装置１２は、８条の刈取条のうち、左側２条の刈取条に作用する左側切断部１２Ａ（一方側の切断部）と、右側６条の刈取条に作用する右側切断部１２Ｂ（他方側の切断部）とに分割形成されている。
【００４７】
右側切断部１２Ｂについて説明する。
図１１，１２に示すように、右側切断部１２Ｂは、左右方向に並設した２分割された２組のバリカン型の刈刃２５と、２組の刈刃２５をそれぞれ駆動する左右の刈刃駆動機構２６とを備えている。図１３に示すように、左右の刈刃２５は、それぞれ左右方向に多数の歯２７ａが並設された固定刃２７と、この固定刃２７の上側に摺接する状態で多数の歯２８ａが並設された可動刃２８と、固定刃２７を受止め支持する受け台２９と、可動刃２８の浮き上がりを防止する複数のナイフクリップ３０とを備えている。
【００４８】
図１１に示すように、左右の各可動刃２８の外側寄り近くに可動刃操作体３１を備え、この可動刃操作体３１に作用する刈刃駆動機構２６の駆動によって、可動刃２８を固定刃２７に対して機体横幅方向に沿って左右往復駆動するように構成されている。
【００４９】
可動刃操作体３１には平面視Ｕ字状の係入溝３２を備えている。刈刃駆動機構２６は、可動刃操作体３１の係入溝３２に係入する操作ローラ３３を一端部に備えたアーム３４、このアーム３４の他端部に一端側が連結された連動ロッド３５、この連動ロッド３５の他端側に連結されたクランクアームとして機能する駆動回転体３６を備えている。そして、駆動回転体３６の回転駆動力を往復動力に変換して可動刃２８を左右往復駆動する。
【００５０】
可動刃２８を左右方向に往復スライド駆動することによって、可動刃２８と固定刃２７とにより植立穀稈を切断する。左右両側の刈刃２５における夫々の可動刃２８は、互いに逆向きにスライド移動するように構成され、可動刃２８のスライド操作に伴う振動をできるだけ少なくするようにしている。
【００５１】
図１３，１４に示すように、左右両側の刈刃２５における左右中間の突き合わせ部には、左右両側の可動刃２８の上側に位置する上部側の固定刃３７が備えられている。このように突き合わせ部では、固定刃３７が上側に位置することで、突き合わせ箇所において、塵埃が固定刃３７と可動刃２８との間に噛み込まれることを防止している。上部側の固定刃３７は、左右の刈刃２５に夫々各別に備えられている。
【００５２】
左側切断部１２Ａについて説明する。
図１１に示すように、左側切断部１２Ａは、右側切断部１２Ｂにおける刈刃２５と同様な構成のバリカン型刈刃３８と、その刈刃３８を駆動する刈刃駆動機構３９とを備えている。刈刃３８は、刈取条数が異なる点以外は、右側切断部１２Ｂの刈刃２５と同じであるから詳細な説明は省略する。刈刃駆動機構３９についても、右側切断部１２Ｂの刈刃駆動機構２６と同じであるから詳細な説明は省略する。このように、左側切断部１２Ａと右側切断部１２Ｂは、夫々各別に、刈刃駆動機構２６，３９を備えている。
【００５３】
右側切断部１２Ｂにおける左側刈刃２５と、左側切断部１２Ａの刈刃３８との突き合わせ部には、右側切断部１２Ｂにおける突き合わせ部と同様に、可動刃２８の上側に位置する上部側の固定刃３７が備えられている。この上部側の固定刃３７は、右側切断部１２Ｂにおける左側刈刃２５と左側切断部１２Ａの刈刃３８とに夫々各別に備えられている。左側切断部１２Ａの刈刃３８における可動刃２８は、右側切断部１２Ｂにおける左側刈刃２５における可動刃２８のスライド移動方向と逆向きにスライド移動するように構成されている。
【００５４】
左側切断部１２Ａと右側切断部１２Ｂとは、可動刃２８、固定刃２７、受け台２９の夫々が、各別に形成されており、突き合わせ状態では近接して並ぶ状態で備えられる。後述する分離状態では、互いに分離可能に設けられている。
【００５５】
〔搬送装置〕
図４，６に示すように、搬送装置１３は、刈取穀稈を２条分ずつ寄せ集めながら後方に掻き込む複数の掻き込み部４０、右側から１番目の条と２番目の条の２条分の刈取穀稈を左後方側の合流箇所に搬送する第１中間搬送部４１、右側から３番目の条と４番目の条の２条分の刈取穀稈を後方側の合流箇所に搬送する第２中間搬送部４２、右側から５番目の条と６番目の条の２条分の刈取穀稈を合流箇所に搬送する第３中間搬送部４３、右側から７番目の条と８番目の条の２条分、すなわち左側端部２条分の刈取穀稈を後方に搬送する第４中間搬送部４４、第４中間搬送部４４により搬送される刈取穀稈を受け継いで合流箇所に搬送する左側合流搬送部４５、合流箇所にて合流した８条の刈取穀稈を脱穀フィードチェーン８の始端部にまで搬送する供給搬送部４６、第１中間搬送部４１にて搬送される刈取穀稈並びに合流箇所にて合流された刈取穀稈の穂先側に作用して穂先側を係止案内する一方側案内部としての穂先係止搬送装置４７とを備えている。
【００５６】
図６に示すように、掻き込み部４０は、切断装置１２の上方近くに機体左右方向に並んで位置して噛み合い回動する一対の穀稈掻き込み用の回転式のパッカー４８，４９（外形が略星形に形成された掻き込み回転体）からなる下側掻き込み装置５０（穀稈掻き込み装置の一例）と、その下側掻き込み装置５０よりも上方に位置する一対の突起付き無端回動ベルトからなる上側掻き込み装置５２とを備える。そして、このような掻き込み部４０が、左右方向（刈幅方向）に並ぶ状態で４組備えられている。
【００５７】
下側掻き込み装置５０は、切断装置１２で刈り取り処理された２条分の刈取穀稈の株元側を一対のパッカー４８，４９の間に掻き込んでパッカー間から機体後方に向けて送り出す。この下側掻き込み装置５０は、一対のパッカー４８，４９のうちのいずれか一方のパッカー４８が、動力が伝達される駆動側パッカーとして構成され、他方のパッカー４９が、駆動側パッカー４８に噛み合って従動する従動側パッカーとして構成されている。
【００５８】
上側掻き込み装置５２における一対の無端回動ベルト５１は、左右のパッカー４８，４９から夫々動力が伝達されて回動するように構成され、２条分の刈取穀稈の株元側を係止搬送により掻き込み後方に送り出す。
【００５９】
図１２に示すように、右側に位置する３組の下側掻き込み装置５０は、各パッカー４８，４９が同一の上下高さに位置するように配置してあり、左側端部に位置する１組の下側掻き込み装置５０は、他の下側掻き込み装置５０よりも低いレベルに位置するように配置している。伝動構造については後述するが、右側に位置する３組の掻き込み部４０は、同一の伝動軸からの動力にて駆動されるので、それらは同期回転する。従って、隣り合う下側掻き込み装置５０のパッカー４８，４９同士が平面視で一部重複することがあっても良好な噛み合い状態を維持できる。
【００６０】
図６〜９に示すように、第１中間搬送部４１は、最右側の掻き込み部４０により掻き込まれた２条分の刈取穀稈の株元を挟持しながら左後方側に向けて搬送する第１株元挟持搬送装置５３と、穂先係止搬送装置４７の前半部分とで構成される。
【００６１】
第１株元挟持搬送装置５３は、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して合流箇所に搬送する。
【００６２】
穂先係止搬送装置４７は、複数のスプロケットにわたって巻回された係止突起付きの無端回動チェーン５７と、刈取穀稈の穂先部を載置しながら案内する穂先案内板５８（図４参照）とを備えている。無端回動チェーン５７に所定ピッチをあけて係止突起５９が備えられ、無端回動チェーン５７が回動することで刈取穀稈の穂先側を係止しながら、且つ、刈取穀稈の穂先部を穂先案内板５８にて載置案内しながら左後方に搬送するように構成されている。この穂先係止搬送装置４７の後半部分は、合流箇所にて合流された８条分の刈取穀稈に対する穂先側の係止搬送を行うように構成されている。
【００６３】
第２中間搬送部４２は、右端から２番目の掻き込み部４０により掻き込まれた２条分の刈取穀稈の株元を挟持しながら後方側の合流箇所に向けて搬送する第２中間株元挟持搬送装置６１と、２条分の刈取穀稈の穂先側を係止搬送しながら後方側に向けて搬送する第２中間穂先係止搬送装置６２とを備えている。
【００６４】
第２中間株元挟持搬送装置６０は、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して合流箇所に搬送する。
【００６５】
第２中間穂先係止搬送装置６１は、複数のスプロケットにわたって巻回された係止突起付きの無端回動チェーンにて構成され、無端回動チェーンが回動することで刈取穀稈の穂先側を係止しながら、後方側の合流箇所に搬送する。
【００６６】
第３中間搬送部４３は、右端から３番目の掻き込み部４０により掻き込まれた２条分の刈取穀稈の株元を挟持しながら後方側の合流箇所に向けて搬送する第３中間株元挟持搬送装置６７と、２条分の刈取穀稈の穂先側を係止搬送しながら後方側に向けて搬送する第３中間穂先係止搬送装置６８とを備えている。
【００６７】
第３中間株元挟持搬送装置６７は、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して合流箇所に搬送する。
【００６８】
第３中間穂先係止搬送装置６８は、複数のスプロケットにわたって巻回された係止突起付きの無端回動チェーンにて構成され、無端回動チェーンが回動することで刈取穀稈の穂先側を係止しながら、後方側の合流箇所に搬送する。
【００６９】
第４中間搬送部４４は、最左側の掻き込み部４０により掻き込まれた２条分の刈取穀稈の株元を挟持しながら後方に向けて搬送する第４中間株元挟持搬送装置７４を備えている。この第４中間株元挟持搬送装置７４は、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して後方に搬送する。
【００７０】
左側合流搬送部４５は、第４中間搬送部４４により搬送される刈取穀稈を受け継いで、株元を挟持しながら後方側の合流箇所に向けて搬送する左側合流用株元挟持搬送装置７７と、刈取穀稈の穂先側を係止搬送しながら後方側に向けて搬送する左側合流用穂先係止搬送装置７８とを備えている。
【００７１】
左側合流用株元挟持搬送装置７７は、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して合流箇所に搬送する。
【００７２】
左側合流用穂先係止搬送装置７８は、複数のスプロケットにわたって巻回された係止突起付きの無端回動チェーンを備えている。無端回動チェーンが回動することで刈取穀稈の穂先側を係止しながら、後方側の合流箇所に搬送する。
【００７３】
供給搬送部４６は、第１中間搬送部４１、第２中間搬送部４２、第３中間搬送部４３、及び、左側合流搬送部４５により搬送されて、合流箇所にて合流した刈取穀稈の株元を挟持して脱穀フィードチェーン８に向けて搬送する扱深さ用搬送装置８４と、その扱深さ用搬送装置８４から脱穀フィードチェーン８の始端部に刈取穀稈を受け渡す受け渡し供給装置８５とを備えている。扱深さ用搬送装置８４及び受け渡し供給装置８５は、共に、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して搬送する。
【００７４】
図示はしないが、扱深さ用搬送装置８４は、搬送始端側を支点にして搬送終端側が稈長方向に移動するように揺動自在に支持され、合流箇所から受け継いだ刈取穀稈を稈長方向（上下方向）に位置変更して、脱穀装置６に対する入り込み深さを変更調整できるように構成されている。  
【００７５】
次に、刈取部２のフレーム構造について説明する。
刈取部２は、支持枠体Ｆにより全体が支持され、横軸芯Ｐ１まわりで揺動自在に機体側の支持台９０（図４参照）に支持される構成となっている。図１９に示すように、支持枠体Ｆは、以下に説明するような複数のフレームが一体的に連結されて構成されている。
【００７６】
図４，１９に示すように、刈取部２全体を昇降自在に支持する前後向きの円筒状の支持フレーム９１が備えられている。この支持フレーム９１は、後上部の基端側に備えられた横向きの枢支部９２が機体側の支持台９０に横軸芯Ｐ１まわりで回動自在に支持されている。支持フレーム９１は、支持台９０から機体前方下方に向けて延びている。
【００７７】
支持フレーム９１の前端部に左右方向すなわち刈幅方向に延びる円筒状の下部側横向きフレーム９３が連結されている。この下部側横向きフレーム９３の機体横幅方向両端部に、機体前方に向けて延びる状態で左右両側の前後向きフレームとしての分草フレーム９４が連結されている。これら左右両端部の分草フレーム９４の前後途中部同士に亘って架設される状態で、機体横幅方向に延びる角筒状の刈刃支持フレーム９５が連結されている。
切断装置１２は、この刈刃支持フレーム９５に支持されている。
【００７８】
左右両端部の分草フレーム９４の間に、間隔をあけて複数の中間部側の分草フレーム９４（前後向きフレーム）が備えられ、それら中間部の分草フレーム９４は、後端部が刈刃支持フレーム９５に連結され、機体前方に向けて片持ち状に延設されている。分草フレーム９４は合計９本備えられ、各分草フレーム９４の前端部には夫々、分草具１０が備えられている。
【００７９】
下部側横向きフレーム９３の左側端部から上方に向けて円筒状の左側上下向きフレーム９６が延設されている。下部側横向きフレーム９３の右側端部から上方に向けて棒状の右側上下向きフレーム９７が延設されている。そして、左側上下向きフレーム９６の上端部と右側上下向きフレーム９７の上端部とにわたって上部側横向きフレーム９８が連結されている。この上部側横向きフレーム９８は、８個の引起し装置１１の夫々の上端部同士にわたって左右方向に沿って延び且つ各引起し装置１１の上端部に連結されている。
【００８０】
８個の引起し装置１１は夫々、上側が上部側横向きフレーム９８に連結され、下側が分草フレーム９４に連結される。従って、各引起し装置１１は、連結された状態では、上部側横向きフレーム９８と分草フレーム９４とを連結するフレーム部材として機能する。
【００８１】
各引起し装置１１は、詳述はしないが、中継伝動ケース２１と一体的に上部側横向きフレーム９８に対して横向き軸芯まわりで相対回動自在に支持されている。分草フレーム９４に対する連結を解除すると、引起し装置１１全体を横向き軸芯まわりで回動させて、刈取部２の前部を大きく開放させることができる。
【００８２】
引起し装置１１を揺動開放させると、上部側横向きフレーム９８に荷重が掛かるので、剛性を確保するために、図１７，１９に示すように、上部側横向きフレーム９８と分草フレーム９４とを連結する縦向きの補助連結杆１００が複数備えられている。さらに、搬送装置１３の上方を迂回する状態で、支持フレーム９１の上端部と上部側横向きフレーム９８の横方向中間部とを連結する上部迂回フレーム１０１が備えられている。
【００８３】
図１７，１８，１９に示すように、下部側横向きフレーム９３から、搬送装置１３の搬送経路を迂回する状態で、上部側横向きフレーム９８まで延びる筒状の縦向き迂回フレーム９９が備えられている。この縦向き迂回フレーム９９は、下部側横向きフレーム９３から略鉛直姿勢で上方に向けて延びる下部側フレーム部分９９Ａと、その下部側フレーム部分９９Ａの上方に連なって機体前後方向に延びる上部側フレーム部分９９Ｂとを備える。
【００８４】
上述したような複数種のフレームが連結されて刈取部２全体を支持する支持枠体Ｆが形成されている。そして、この支持枠体Ｆにおいては、機体横幅方向両端部に位置する分草フレーム９４と、左右の上下向きフレーム９６，９７と、機体横幅方向両端部に位置する引起し装置１１とが、機体側面視で略三角形状に配置され、それらが連結されている。その結果、機体横幅方向両端部において強固な支持構造が形成されている。
【００８５】
〔伝動構造〕
次に、刈取部２に対する伝動構造について説明する。
図４に示すように、図示しないエンジンの出力を刈取用の無段変速装置１０２にて変速した後の動力が、支持フレーム９１の枢支部９２の内部に備えられた横向き伝動軸１０３に伝達される。そして、図８に示すように、横向き伝動軸１０３から支持フレーム９１の内部に備えられた前後向き伝動軸としての動力伝達軸１０４を介して動力が伝達される。
【００８６】
図８に示すように、上述した変速後の動力が、前後向きの動力伝達軸１０４から下部側横向きフレーム９３の内部に備えられた横向きの入力軸１０５に伝達される。その入力軸１０５の両側端部及び左右方向中間部に設けられた分岐部１０６を介して、切断装置１２の右側切断部１２Ｂの２組の刈刃２５と左側切断部１２Ａの１組の刈刃３８に夫々動力が伝達される。
【００８７】
さらに、入力軸１０５の途中の分岐部１０７から左側合流搬送部４５に動力が伝達され、入力軸１０５の左側に備えられた分岐部１０８から第４中間搬送部４４に動力が伝達され、第４中間搬送部４４から最左側（右から４番目）の掻き込み部４０に動力が伝達される。
【００８８】
上部側横向きフレーム９８に沿って左右方向の全幅に亘る状態で、引起し装置１１の上部同士にわたる横向きの引起し駆動軸２０が備えられている。そして、図８，１０に示すように、入力軸１０５の左右方向中間部であって且つ左側合流搬送部４５に対する動力の分岐部１０７よりも右側箇所に設けられた分岐部１０９と、縦向き迂回フレーム９９の内部に備えられた縦向き中継伝動軸１１０とを介して、引起し装置１１の上部側伝動入力部１１１に動力が伝達される。この上部側伝動入力部１１１から引起し駆動軸２０に動力が伝達され、引起し駆動軸２０から８個の引起し装置１１の夫々に動力が伝達される。
【００８９】
図２１に示すように、縦向き迂回フレーム９９の内部に備えられる縦向き中継伝動軸１１０は、下部側フレーム部分９９Ａに内装される下部側軸部分１１０Ａと、上部側フレーム部分９９Ｂに内装される上部側軸部分１１０Ｂとに分割され、折れ曲がり状態の連結部分において、ベベルギア機構１１０Ｃを介して連動連結されている。
【００９０】
一方、動力伝達軸１０４の伝動途中部から、右側に位置する３組の掻き込み部４０、第１中間搬送部４１、第２中間搬送部４２、第３中間搬送部４３、供給搬送部４６の夫々に動力が伝達される。穂先係止搬送装置４７における無端回動チェーン５７に対しては、横向き伝動軸１０３から動力伝達される。
【００９１】
図８に示すように、動力伝達軸１０４の伝動途中部に設けられた第１分岐部１１２にて第１分岐伝動軸１１３に動力が分岐伝達され、その第１分岐伝動軸１１３から第２中間搬送部４２における第２中間株元挟持搬送装置６０及び第２中間穂先係止搬送装置６１夫々に動力が伝達される。そして、第２中間株元挟持搬送装置６０の動力が右側から２番目の掻き込み部４０に伝達される。
【００９２】
第１分岐伝動軸１１３の途中部から第２分岐伝動軸１１４に動力が分岐され、第２分岐伝動軸１１４から第３中間搬送部４３における第３中間株元挟持搬送装置６７及び第３中間穂先係止搬送装置６８夫々に動力が伝達される。そして、第３中間株元挟持搬送装置６７の動力が右端から３番目の掻き込み部４０に伝達される。
【００９３】
動力伝達軸１０４の伝動途中部に設けられた第２分岐部１１７にて第３分岐伝動軸１１８と第４分岐伝動軸１１９に動力が分岐され、第３分岐伝動軸１１８から第１中間搬送部４１における第１株元挟持搬送装置５３に動力が伝達され、第１株元挟持搬送装置５３の動力が最右側の掻き込み部４０に伝達される。第４分岐伝動軸１１９から扱深さ用搬送装置８４に動力が伝達される。
【００９４】
〔刈取部分割構造〕
刈取部２は、刈幅方向の途中位置にて一方側刈取部分割体２Ａと他方側刈取部分割体２Ｂとに分割形成され、一方側刈取部分割体２Ａが、他方側刈取部分割体２Ｂと刈幅方向に一連に並ぶ通常使用状態と、他方側刈取部分割体２Ｂから分離して機外に取り外される分離状態とに切り換え自在に設けられている。
【００９５】
刈取部２は、左側２条分に対応する部分が一方側刈取部分割体２Ａを構成し、右側６条分に対応する部分が他方側刈取部分割体２Ｂを構成している。そして、一方側刈取部分割体２Ａが、他方側刈取部分割体２Ｂに対して、左右方向に一連に並ぶ通常使用状態（図１，２，４，６参照）と、一方側刈取部分割体２Ａが他方側刈取部分割体２Ｂから分離する分離状態（図５，７参照）とにわたり切り換え自在に構成されている。
【００９６】
説明を加えると、右端から６番目の引起し装置１１と７番目の引起し装置１１との間に境界Ｌが設定され、その境界にて分離される構成となっている。
【００９７】
切断装置１２における左側切断部１２Ａと右側切断部１２Ｂとは、夫々、可動刃２８及び固定刃２７だけでなく受け台２９も各別に形成されており、それらが分離可能に構成されている。
【００９８】
搬送装置１３は、一方側刈取部分割体２Ａに対応する一方側の搬送部１３Ａと、他方側刈取部分割体２Ｂに対応する他方側の搬送部１３Ｂとを備えている。すなわち、図７に示すように、第４中間搬送部４４及び最左側の掻き込み部４０が一方側の搬送部１３Ａに対応しており、それ以外の搬送用の装置、つまり、左側合流搬送部４５、右側に位置する３組の掻き込み部４０、第１中間搬送部４１、第２中間搬送部４２、第３中間搬送部４３、供給搬送部４６の夫々が、他方側の搬送部１３Ｂに対応している。
【００９９】
図６に示すように、最左側の掻き込み部４０より掻き込まれて、第４中間搬送部４４により後方に搬送された左側２条分の刈取穀稈は、左側合流搬送部４５による受け取り位置まで搬送され、その後は、左側合流搬送部４５により合流箇所に向けて搬送される。
【０１００】
従って、一方側の搬送部１３Ａ（第４中間搬送部４４及び最左側の掻き込み部４０）は、他方側の搬送部１３Ｂにて搬送される位置（受け取り位置）まで独立して刈取穀稈を搬送するように構成されている。第４中間搬送部４４が一方側の合流用搬送体に対応し、左側合流搬送部４５が他の合流用搬送体に対応しており、第４中間搬送部４４と左側合流搬送部４５とにより、一方側刈取部分割体２Ａにて刈り取られた刈取穀稈を合流箇所まで搬送する合流用搬送部１２０を構成する。
【０１０１】
下部側横向きフレーム９３、上部側横向きフレーム９８、刈刃支持フレーム９５の夫々が、フランジ連結等の接続構成を用いて、分離箇所に対応する位置にて互いに分離可能に接続される構成となっており、一方側刈取部分割体２Ａを他方側刈取部分割体２Ｂから分離するときは、夫々の接続状態を解除することになる。上部側横向きフレーム９８は、一方側刈取部分割体２Ａ側のフレーム部分９８Ａと、他方側刈取部分割体２Ｂ側のフレーム部分９８Ｂとに分割され、縦向き迂回フレーム９９は、他方側刈取部分割体２Ｂ側のフレーム部分９８Ｂに連結される。
【０１０２】
上述したように、刈取部２の支持枠体Ｆは、機体横幅方向両端部において、分草フレーム９４、上下向きフレーム９６，９７及び引起し装置１１が、機体側面視で略三角形状に配置され、それらが連結されることにより、強固な支持構造が形成されている。その結果、支持枠体Ｆを、上記した分離箇所にて分離しても、一方側刈取部分割体２Ａ及び他方側刈取部分割体２Ｂの夫々において、強固なフレーム構造体が形成され、支持強度を有する構成となっている。
【０１０３】
刈取部２の支持枠体Ｆにおける一方側刈取部分割体２Ａに対応する一方側の分割支持枠体ＦＡと、他方側刈取部分割体２Ｂに対応する他方側の分割支持枠体ＦＢとは、上記境界にて分離自在に連結される構成となっている。
【０１０４】
図１５〜図１９に示すように、一方側の分割支持枠体ＦＡ及び他方側の分割支持枠体ＦＢの夫々において、分割箇所の近傍に、上部側横向きフレーム９８と分草フレーム９４とにわたって上下方向に延びる連結用フレーム１２１，１２２が備えられている。
【０１０５】
説明を加えると、図１７，１８に示すように、他方側の分割支持枠体ＦＢ側の連結用フレーム１２１は、上下方向にわたって延び、上部側横向きフレーム９８の分割箇所と、右端から７番目の分草フレーム９４とに夫々連結されている。この連結用フレーム１２１は、補強フレームとして機能するものであり、角筒状に設けられ、側面視で略Ｌ字形に形成されている。そして、連結用フレーム１２１の上部側箇所は、側面視にて引起し装置１１の引起しケース１４の前面に略平行な後上がり傾斜状態の起立姿勢に形成されている。
【０１０６】
図１５，１６に示すように、一方側の分割支持枠体ＦＡの連結用フレーム１２２は、上下方向にわたって延び、上部側横向きフレーム９８の分割箇所と、下部側横向きフレーム９３から前方に向けて延設された前後向き支持杆１２３とに夫々連結されている。
【０１０７】
一方側の分割支持枠体ＦＡに備えられる連結用フレーム１２２も、他方側の分割支持枠体ＦＢ側の連結用フレーム１２１と同様に、補強用フレームとして機能するものであり、角筒状に設けられ、側面視で略Ｌ字形に形成されている。連結用フレーム１２２の上部側箇所は、側面視にて引起し装置１１の引起しケース１４の前面と略平行な後上がり傾斜状態の起立姿勢に形成されている。前後向き支持杆１２３の前端部と上部側横向きフレーム９８とが縦向きの補助連結杆１２４により連結されている。
【０１０８】
図１７，１８，２０に示すように、他方側の分割支持枠体ＦＢ側の連結用フレーム１２１には、上下に間隔をあけて２箇所にブラケット１２５にて固定された状態で連結部材としての上向きの支持ピン１２６が備えられている。図１５，１６，２０に示すように、一方側の分割支持枠体ＦＡの連結用フレーム１２２には、上下の支持ピン１２６が嵌まり込む係合孔１２７が形成された側面視Ｌ形の板材からなる係合部材１２８が備えられている。係合部材１２８の係合孔１２７に支持ピン１２６に係合させた状態で、係合部材１２８をブラケット１２５にて受止め支持することにより、一方側の分割支持枠体ＦＡが連結された状態で支持される。
【０１０９】
連結用フレーム１２１に取り付けられた支持ピン１２６が、一方側の分割支持枠体ＦＡを他方側の分割支持枠体ＦＢに対して着脱自在に連結するための連結部材を構成する。そして、支持ピン１２６及び係合部材１２８は、引起し装置１１よりも機体前方側に突出する状態で設けられている。
【０１１０】
次に、伝動軸分割構造について説明する。
下部側横向きフレーム９３の内部に備えられる入力軸１０５と、上部側横向きフレーム９８に沿って複数の引起し装置１１の上部同士にわたって横方向に延びる引起し駆動軸２０は、夫々、一方側刈取部分割体２Ａに対応する一方側の伝動部分と、他方側刈取部分割体２Ｂに対応する他方側の伝動部分と、それらを接続分離自在な動力接続部とを備えている。
【０１１１】
すなわち、図８に示すように、入力軸１０５は、刈取部２の分割対応箇所において、左側部分１０５Ａ（一方側の伝動部分）と右側部分１０５Ｂ（他方側の伝動部分）とに分割されている。そして、動力接続部としての噛み合い式クラッチ１０５Ｃを介して、左側部分１０５Ａと右側部分１０５Ｂとが接続分離自在に構成されている。噛み合い式クラッチ１０５Ｃは、周知の構成であるから、詳述はしないが、例えば、左側部分１０５Ａと右側部分１０５Ｂとを突き合わせた状態で、一体回転自在に噛み合い連動するとともに、突き合わせ方向に弾性的に嵌り合い係合自在な構成となっている。
【０１１２】
引起し駆動軸２０も入力軸１０５と同様に、左側部分２０Ａ（一方側の伝動部分）と右側部分２０Ｂ（他方側の伝動部分）とに分割され、動力接続部としての噛み合い式クラッチ２０Ｃを介して、左側部分２０Ａと右側部分２０Ｂとが接続分離自在に構成されている。
【０１１３】
従って、刈取部２を分離させると、入力軸１０５と引起し駆動軸２０はそのまま分離させることができる。刈取部２を分離状態から通常使用状態に切り換えるために、分離している入力軸１０５と引起し駆動軸２０を接近させると、噛み合い式クラッチ１０５Ｃ，２０Ｃにより自動的に接続状態となる。
【０１１４】
そして、縦向き中継伝動軸１１０は引起し駆動軸２０の右側部分２０Ｂに連動連結されている。従って、刈取部２が分離状態に切り換わっても、機体側からの動力は、縦向き中継伝動軸１１０を介して引起し駆動軸２０の右側部分２０Ｂに伝達されるので、他方側刈取部分割体２Ｂにおける他方側搬送部１３Ｂだけでなく、６条分の引起し装置１１についても良好に駆動することができる。
【０１１５】
〔第２実施形態〕
以下、本発明に係るコンバインの第２実施形態を図面に基づいて説明する。
この実施形態では、機体側からの動力を刈取部２における他方側刈取部分割体２Ｂ側の引起し装置１１に伝達するための伝動構造が異なるが、その他の構成は、第１実施形態と同じである。以下に第１実施形態と異なる点についてのみ説明し、同じ構成については説明は省略する。
【０１１６】
本実施形態では、第１実施形態における縦向き迂回フレーム９９が備えられていない。
そして、図２２に示すように、縦向き迂回フレーム９９の代わりに、支持フレーム９１の上端部と、上部側横向きフレーム９８を連結する前後向き迂回フレーム１３０が備えられる。
【０１１７】
前後向き迂回フレーム１３０は、直線状の後部側フレーム部分１３０Ａと、直線状の前部側フレーム部分１３０Ｂとを備え、それらが略Ｌ字状に連結されている。そして、この前後向き迂回フレーム１３０の内部に前後向き中継伝動軸１３１が備えられる。
【０１１８】
前後向き中継伝動軸１３１は、後部側フレーム部分１３０Ａに内装される後部側軸部分１３１Ａと、前部側フレーム部分１３０Ｂに内装される前部側軸部分１３１Ｂとに分割され、折れ曲がり状態の連結部分において、ベベルギア機構１３１Ｃを介して連動連結されている。
【０１１９】
前後向き中継伝動軸１３１の後端部は、支持フレーム９１に内装される動力伝達軸１０４の上端部に連動連結される。前後向き中継伝動軸１３１の前端部は、他方側刈取部分割体２Ｂ側の引起し装置１１の上部側伝動入力部１１１を介して、引起し駆動軸２０の右側部分２０Ｂ（他方側の伝動部分）に連動連結される。
【０１２０】
従って、刈取部２が分離状態に切り換えられても、縦向き中継伝動軸１１０を介して、他方側刈取部分割体２Ｂにおける６条分の引起し装置１１に動力が伝達される。
【０１２１】
〔別実施形態〕
（１）上記実施形態では、連結部材としての支持ピン１２６と係合部材１２８が、引起し装置１１の前面よりも機体前方側に位置している構成としたが、この構成に代えて、連結部材が引起し装置１１の前面よりも機体後方側に位置しているものでもよい。
【０１２２】
（２）上記実施形態では、右側に位置する３組の下側掻き込み装置５０は、各パッカー４８，４９が同一の上下高さに位置するように配置する構成としたが、この構成に代えて、右側に位置する３組の下側掻き込み装置５０のうちの中間に位置する下側掻き込み装置５０を、他の下側掻き込み装置５０よりも低いレベルに位置するように配置してもよい。
【０１２３】
（３）上記実施形態では、８条刈りのコンバインにおいて、刈取部２における左２条分に対応する一方側刈取部分割体２Ａと、残り６条分に対応する他方側刈取部分割体２Ｂとに分離可能な構成としたが、このような構成に限らず、一方側刈取部分割体は、２条分に限らず、１条あるいは３条以上に構成してもよい。
【０１２４】
（４）上記実施形態では、８条刈りコンバインを示したが、７条刈りや９条刈り等でもよく、刈取条数は８条に限るものではない。
【産業上の利用可能性】
【０１２５】
本発明は、８条刈り等の刈取条数の多いコンバインに適用できる。
【符号の説明】
【０１２６】
２        刈取部
２Ａ      一方側刈取部分割体
２Ｂ      他方側刈取部分割体
１１      引起し装置
１２      切断装置
１３      搬送装置
２０      引起し駆動軸
９１      支持フレーム
９３      下部側横向きフレーム
９８      上部側横向きフレーム
９８Ｂ    フレーム部分
９９      縦向き迂回フレーム
１０３    横向き伝動軸
１０４    前後向き伝動軸
１１０    縦向き中継伝動軸
１１１    上部側伝動入力部
１２１    補強フレーム
１２６    連結部材
１３０    前後向き迂回フレーム
１３１    前後向き中継伝動軸
【図１】
0006437361.tif 000002
【図２】
0006437361.tif 000003
【図３】
0006437361.tif 000004
【図４】
0006437361.tif 000005
【図５】
0006437361.tif 000006
【図６】
0006437361.tif 000007
【図７】
0006437361.tif 000008
【図８】
0006437361.tif 000009
【図９】
0006437361.tif 000010
【図１０】
0006437361.tif 000011
【図１１】
0006437361.tif 000012
【図１２】
0006437361.tif 000013
【図１３】
0006437361.tif 000014
【図１４】
0006437361.tif 000015
【図１５】
0006437361.tif 000016
【図１６】
0006437361.tif 000017
【図１７】
0006437361.tif 000018
【図１８】
0006437361.tif 000019
【図１９】
0006437361.tif 000020
【図２０】
0006437361.tif 000021
【図２１】
0006437361.tif 000022
【図２２】
0006437361.tif 000023